(57)【要約】【課題】有機エレクトロルミネッセンスの発光源からの光を２重像を発生させることなく、質を高めて観察者に出射できる光学シートを提供する。【解決手段】透明である基材層２１と、基材層の一方の面に所定の間隔を有して配置された複数の光透過部２３と、複数の光透過部の間隔に樹脂が充填されて配置され、入射した光の向きを変えて出射する光偏向部２４と、を備える。【選択図】図３
2018005113.tif 000002
【特許請求の範囲】
【請求項１】
有機エレクトロルミネッセンス積層体の出光側に配置される光学シートであって、
透明である基材層と、
前記基材層の一方の面に所定の間隔を有して配置された複数の光透過部と、
複数の前記光透過部の前記間隔に樹脂が充填されて配置され、入射した光の向きを変えて出射する光偏向部と、
を備える光学シート。
【請求項２】
前記透過部の断面における対角線と前記光学シートのシート面法線との成す角をθ２とし、前記有機エレクトロルミネッセンス積層体の出光面を形成する層の屈折率をｎとしたとき、
θ２≦ｓｉｎ−１（１／ｎ）
が成立する、請求項１に記載の光学シート。
【請求項３】
前記光偏向部が、光散乱材を含んでなる請求項１又は２に記載の光学シート。
【請求項４】
前記光偏向部が、前記光透過部との界面に光反射層を有してなる請求項１又は２に記載の光学シート。
【請求項５】
白色光を出射する有機エレクトロルミネッセンス積層体と、
前記有機エレクトロルミネッセンス積層体の出光側に配置される請求項１乃至請求項４のいずれかに記載の光学シートと、を備える、照明装置。
【請求項６】
映像光を出射する有機エレクトロルミネッセンス積層体と、
前記有機エレクトロルミネッセンス積層体の出光側に配置される請求項１乃至請求項４のいずれかに記載の光学シートと、を備える、映像表示装置。
【発明の詳細な説明】
【技術分野】
【０００１】
本発明は、有機エレクトロルミネッセンスによる発光層よりも出光側に配置される光学シート、該光学シートを備える照明装置、及び映像表示装置に関する。
【背景技術】
【０００２】
有機エレクトロルミネッセンス（以下、「有機ＥＬ」と記載することがある。）による発光層に電極を設けて発光させることにより、映像光源（映像表示装置）や白色光源（照明装置）として利用する技術がある。特許文献１〜特許文献３には、このように有機ＥＬを用いた装置に関する技術が開示されている。
【０００３】
そしてこれら有機ＥＬを用いた装置には、発光層から出射した光の質を高めるために発光層よりも観察者側に光学シートが配置されている。
【先行技術文献】
【特許文献】
【０００４】
【特許文献１】特開２０１１−１８５８３号公報
【特許文献２】特開２０１１−１０３２３７号公報
【特許文献３】特開２０１３−５８４４７号公報
【発明の概要】
【発明が解決しようとする課題】
【０００５】
しかしながら、これら光学シートは、プリズム、四角錐、円錐、マイクロレンズ等のように、いずれも表面凹凸形状を有している。このような光学シートに対しては反射防止フィルム、タッチパネル等の他のフィルムを空気界面無く積層することはできず、２重像が発生する不具合があった。
【０００６】
そこで本発明は上記問題点に鑑み、有機エレクトロルミネッセンスの発光源からの光を２重像を発生させることなく、質を高めて観察者に出射することができる光学シートを提供することを課題とする。また、当該光学シートを用いた照明装置、及び映像表示装置を提供する。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
本発明の１つの態様は、有機エレクトロルミネッセンス積層体（１０）の出光側に配置される光学シート（２０、１２０、２２０）であって、透明である基材層（２１）と、基材層の一方の面に所定の間隔を有して配置された複数の光透過部（２３）と、複数の光透過部の間隔に樹脂が充填されて配置され、入射した光の向きを変えて出射する光偏向部（２４、１２４、２２４）と、を備える光学シートである。
【０００９】
ここで、透過部の断面における対角線と光学シートのシート面法線との成す角をθ２とし、有機エレクトロルミネッセンス積層体の出光面を形成する層の屈折率をｎとしたとき、
θ２≦ｓｉｎ−１（１／ｎ）
が成立するように形成してもよい。
【００１０】
なお、光偏向部が、光散乱材を含んでなるように構成することもできる。
【００１１】
また、光偏向部が、光透過部との界面に光反射層を有してなるように構成してもよい。
【００１２】
白色光を出射する有機エレクトロルミネッセンス積層体と、有機エレクトロルミネッセンス積層体の出光側に配置される上記した光学シートと、を備える、照明装置を提供することができる。
【００１３】
また、映像光を出射する有機エレクトロルミネッセンス積層体と、有機エレクトロルミネッセンス積層体の出光側に配置される上記した光学シートと、を備える、映像表示装置を提供することもできる。
【発明の効果】
【００１４】
本発明によれば、有機ＥＬの発光源からの光の質を高める光学シートにおいて表面に凹凸がない、又は、凹凸を小さく抑えることができ、光の質を高めつつも積層されるフィルムとの間に空気層を形成しないので２重像の発生を防止することが可能となる。
【図面の簡単な説明】
【００１５】
【図１】第一の形態を説明する図で照明装置１の分解斜視図である。
【図２】照明装置１の厚さ方向断面図である。
【図３】光学シート２０を説明する断面図である。
【図４】図４（ａ）は光学シート１２０の斜視図、図４（ｂ）は光制御層２２の断面図、図４（ｃ）は光制御層１２２の断面図である。
【図５】光学シート２２０を説明する断面図である。
【発明を実施するための形態】
【００１６】
本発明の上記した作用及び利得は、次に説明する発明の形態から明らかにされる。以下本発明を図面に示す形態に基づき説明する。ただし本発明は当該形態に限定されるものではない。ここで、本発明に具備される要素は実際には非常に微細、薄層であるが、分かりやすさのため各図では変形、拡大等して表している。また要素には符号を付してあるが、見易さのため繰り返しとなる符号は省略することがある。
【００１７】
図１は、第一の形態を説明する図で、光学シート２０を含む照明装置１の分解斜視図である。図１ではわかりやすさのため、一部の層について分離して表しているが、実際には各層は接着層を介して又は直接接触して積層されている。図２は図１にＩＩ−ＩＩで示した線を含む厚さ方向断面図である。
【００１８】
照明装置１は、有機ＥＬ積層体１０、光学シート２０、及び円偏光板３０を有して構成されている。
また、本形態で有機ＥＬ積層体１０は、基板１１、陰極層１２、電子輸送層１３、発光層１４、正孔輸送層１５、及び陽極層１６をこの順に備えて構成されている。
一方、本形態で光学シート２０は有機ＥＬ積層体１０の陽極層１６に積層され、該陽極層１６側から、基材層２１、及び光制御層２２をそれぞれ具備している。
以下、各層について説明する。
【００１９】
基板１１は、有機ＥＬ積層体１０の各層を積層させる際にその基板となる層であり、基板として機能するための強度、コシを具備する材料及び厚さを有して構成されている。材料としては例えばガラス（ソーダライムガラス、無アルカリガラス等）、樹脂（ポリエステル樹脂、ポリアミド樹脂、エポキシ樹脂、フッ素系樹脂から作製されたもの等）を挙げることができる。
【００２０】
陰極層１２は、電子輸送層１３に電子を供給する層であり、金属、合金、金属酸化物、又は広く電気伝導性を有する材料により構成することができ、好ましくは仕事係数が低い材料がよい。かかる観点から、陰極層としては、例えば、アルカリ金属、アルカリ金属のハロゲン化物、アルカリ金属の酸化物、アルカリ土類金属、及びこれらと他の金属との合金、詳しくはナトリウム、ナトリウム−カリウム合金、リチウム、マグネシウム、マグネシウム−銀混合物、マグネシウム−インジウム混合物、アルミニウム−リチウム合金、Ａｌ／ＬｉＦ混合物等が挙げられる。
陰極層１２は公知の方法で基板１１に積層させることができ、例えば蒸着、化学反応、塗布等が挙げられる。
なお、本形態では陰極層１２が発光層１４のうち観察者側より反対側に配置されていることから、当該陰極層１２を反射率の高い材料で構成することができる。これにより発光層１４で発光された光を観察者側に向けて反射して提供することができる。
【００２１】
電子輸送層１３は、陰極層１２から電子を受けとり、発光層１４に輸送するための層である。電子輸送等１３は、電子輸送層として用いられる公知の材料を適用することができる。これには例えばＡｌｑ３（トリス(８−キノリノラト)アルミニウム）等の金属錯体、フェナントロリン誘導体、ピリジン誘導体、テトラジン誘導体、オキサジアゾール誘導体等のヘテロ環を有する化合物等が挙げられる。
【００２２】
なお、電子輸送層１３には、陰極層１２側に電子注入層や再結合の割合を高めるために正孔の浸入を阻害する層を設けてもよい。
【００２３】
発光層１４は、所定の有機化合物材料を含有することにより、得た電子と正孔との再結合によって励起子を生じさせて発光する層である。当該所定の有機化合物材料としては公知のものを適用することができる。これには例えばベンゾオキサゾール誘導体、ベンゾイミダゾール誘導体、ベンゾチアゾール誘導体、スチリルベンゼン誘導体、ポリフェニル誘導体、ジフェニルブタジエン誘導体、テトラフェニルブタジエン誘導体、ナフタルイミド誘導体、クマリン誘導体、ペリレン誘導体、ペリノン誘導体、オキサジアゾール誘導体、アルダジン誘導体、ピラリジン誘導体、シクロペンタジエン誘導体、ビススチリルアントラセン誘導体、キナクリドン誘導体、ピロロピリジン誘導体、チアジアゾロピリジン誘導体、シクロペンタジエン誘導体、スチリルアミン誘導体、芳香族ジメチリディン化合物、８−キノリノール誘導体の金属錯体や希土類錯体に代表される各種金属錯体；ポリチオフェン、ポリフェニレン、ポリフェニレンビニレン等のポリマー化合物等が挙げられる。
【００２４】
正孔輸送層１５は、陽極層１６から正孔を受けとり、発光層１４に輸送するための層である。正孔輸送層１５は、正孔輸送層として用いられる公知の材料を適用することができる。これには例えばカルバゾール誘導体等のカルバゾール基を含む化合物、トリアリールアミン系化合物、及びフルオレン誘導体を含むアミン化合物等を挙げることができる。
【００２５】
なお、正孔輸送層１５には、陽極層１６側に正孔注入層や再結合の割合を高めるために電子の浸入を阻害する層を設けてもよい。
【００２６】
陽極層１６は、正孔輸送層１５に対して正孔を供給する層である。陽極層１６は陽極層として取り得る公知の材料を適用することができる。これには例えば金属、合金、金属酸化物、又は広く電気伝導性を有する材料を挙げることができ、好ましくは仕事係数が高い材料がよい。かかる観点から、陽極層としては、金、銀、クロム、ニッケル等の金属、酸化スズ、酸化亜鉛、酸化インジウム、酸化インジウムスズ等の金属酸化物、ヨウ化銅、硫化銅、ポリアニリン、ポリチオフェン、ポリピロール等の導電性材料等を挙げることができる。
なお、本形態では陽極層１６が発光層１４よりも観察者側に配置されていることから、当該陽極層１６は透明であることが必要である。かかる観点から陽極層１６として酸化インジウムスズ（ＩＴＯ）を用いることが好ましい。これにより陽極層１６を透過して適切に光を提供することができる。
【００２７】
ここで、有機ＥＬ積層体１０から出射される光は、本形態では白色光であり、これにより照明装置１となる。ただし、これに限定されることはなく、映像情報を伴った映像光であってもよい。この場合には映像表示装置として機能する。どのような光を出射するかについては必要に応じて適宜変更可能であり、そのために備えられる他の構成部材については公知の通りである。
【００２８】
光学シート２０は、上記した構成を有する有機ＥＬ積層体１０の陽極層１６側に積層される積層体であり、有機ＥＬ積層体１０から出射された光を制御して観察者側に提供する。特に、入射した光を効率よく観察者側に出射することができる。本形態の光学シート２０は、基材層２１、及び光制御層２２を有して構成されている。
【００２９】
基材層２１は、本形態では、その一方の面が有機ＥＬ積層体１０に取り付けられ、他方の面に光制御層２２を形成する基材となる層である。基材層２１は、透光性を有するとともに光制御層２２の変形を防止できるように支持する。かかる観点から、基材層２１を構成する材料の具体例として例えば、アクリル、スチレン、ポリカーボネート、ポリエチレンテレフタレート（ＰＥＴ）、アクリロニトリル、トリアセチルセルロース（ＴＡＣ）を主成分とする透明樹脂や、エポキシアクリレートやウレタンアクリレート系の反応性樹脂（電離放射線硬化型樹脂等）を挙げることができる。
この中で、本形態のように円偏光板３０を用いる場合には複屈折が少ない（リタデーションが小さい）ＴＡＣ、アクリル、又はポリカーボネートを主成分とする樹脂が好ましい。さらには、車載用途などのように高い耐熱性が求められる用途では、ガラス転移点が高いポリカーボネートが望ましい。具体的にはポリカーボネートのガラス転移点は１４３℃であり、一般に１０５℃での耐久性が求められる車載用途に適している。
【００３０】
基材層２１の厚さは特に限定されないが、２５μｍ以上３００μｍ以下であることが好ましい。基材層２１の厚さがこの範囲を外れると、加工性に問題を生じる虞がある。例えば、基材層２１がこれより薄ければしわが生じやすくなる。また、基材層２１がこれより厚ければ、光学シート２０の巻き取りが困難になる。
【００３１】
本形態で光制御層２２は基材層２１のうち、有機ＥＬ積層体１０とは反対側となる面に積層される層である。光制御層２２は、図２に表れる厚さ方向断面において略台形である光透過部２３と、隣り合う光透過部２３の間に配置される偏向部２４と、を備えている。図３には図２に表れる断面のうち光学シート２０の一部を拡大して表した。
【００３２】
光透過部２３は光を透過させることを主要の機能とする部位であり、本形態では図２、図３に表れる断面において、基材層２１側（有機ＥＬ積層体１０側）に長い下底、その反対側（観察者側）に短い上底を有する略台形の断面形状を有する要素である。光透過部２３は、基材層２１の層面に沿って当該断面を維持して上記した方向に延びるとともに、この延びる方向とは異なる方向に所定の間隔で配列される。そして、隣り合う光透過部２３の間には、略台形断面を有する間隔が形成されている。従って、当該間隔は、光透過部２３の上底側（観察者側）に長い下底を有し、光透過部２３の下底側（基材層２１側、有機ＥＬ積層体１０側）に短い上底を有する台形断面を有し、ここに後述する必要な材料が充填されることにより光偏向部２４が形成される。なお、本形態では隣り合う光透過部２３は長い下底側で土台部２２ａにより連結されている。
【００３３】
光透過部２３は屈折率がＮｔとされている。このような光透過部２３は、透過部を構成する組成物を硬化させることにより形成することができる。屈折率Ｎｔの値は特に限定されることはないが、屈折率は１．５５以上であることが好ましい。ただし、屈折率が高すぎる材料は割れやすい場合が多いので屈折率は１．６１以下であることが好ましい。より好ましくは１．５６以下である。
【００３４】
光透過部２３を構成する材料としては、例えば、光硬化型のプレポリマーに、反応性希釈モノマーおよび光重合開始剤を配合した光硬化型樹脂組成物が好ましく用いられる。
光硬化型プレポリマーとしては、例えば、エポキシアクリレート系、ウレタンアクリレート系、ポリエーテルアクリレート系、ポリエステルアクリレート系、ポリチオール系等のプレポリマーを挙げることができる。
また、反応性希釈モノマーとしては、例えば、ビニルピロリドン、２−エチルヘキシルアクリレート、β−ヒドロキシアクリレート、テトラヒドロフルフリルアクリレート等を挙げることができる。また、その他屈折率を高くすることができる観点から、フルオレン骨格を有するビニル化合物、フルオレン骨格を有するアクリル酸エステル化合物、及びフルオレン骨格を有するメタクリル酸エステル化合物の少なくとも１つを用いることもできる。
また、光重合開始剤としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド、ビス（２，４，６−トリメチルベンゾイル）フェニルホスフィンオキサイド等）、ベンジルジメチルケタール等が挙げられる。
【００３５】
光偏向部２４は、ここに到達した光を偏向する部位であり、本形態では、到達した光を散乱して観察者側に出光するように偏向する。このような光偏向部２４は、例えば以下の材料を隣り合う光透過部２３の間の凹部に充填することによって形成することができる。本形態では光偏向部２４を構成する材料として、例えば白色顔料、銀色顔料、又は透明拡散材等をバインダーに分散した組成物が挙げられる。
これにより、光制御層２２において、光透過部２３と光偏向部２４に凹凸が形成されず、光制御層２２に他のフィルム等を積層しても空気界面がなく、２重像の発生を防止することができる。
【００３６】
白色顔料としては、例えば、酸化チタン、二酸化チタン、酸化マグネシウム、酸化亜鉛などの金属酸化物が挙げられる。一方、銀色顔料としては、例えば、アルミニウム、クロムなどの金属が挙げられる。
【００３７】
透明拡散材の場合には、透明なバインダー樹脂と該バインダー樹脂とは屈折率が異なる透明な拡散剤とを混合させることにより構成することができる。当該拡散剤としては、例えば、（メタ）アクリル酸エステル及びスチレンを中心としたモノマーを重合して得られた架橋粒子が挙げられる。当該架橋粒子の具体例としては、アイカ工業株式会社製のガンツパールが挙げられる。上記架橋粒子は、アクリル酸エステル及びスチレンとの混合比を変えることによって、屈折率を制御することができる。例えば、アクリル比を高くすることで屈折率を１．４９程度にすることができ、スチレン比を高くすることで屈折率を１．５９程度にすることができる。また、拡散剤にはウレタン架橋粒子を用いることも可能である。当該ウレタン架橋粒子の具体例としては、根上工業株式会社製のアートパールが挙げられる。また、拡散剤は中空粒子にすることも可能である。
【００３８】
一方、白色顔料、銀色顔料、及び透明拡散材を分散させるバインダーを構成する材料は特に限定されることはないが、例えば光硬化型プレポリマーに、反応性希釈モノマーおよび光重合開始剤を配合した光硬化型樹脂組成物が好ましく用いられる。
上記光硬化型プレポリマーとしては、例えば、ウレタン（メタ）アクリレート、ポリエステル（メタ）アクリレート、エポキシ（メタ）アクリレート、およびブタジエン（メタ）アクリレート等を挙げることができる。
また、上記反応性希釈モノマーとしては、例えば、単官能モノマーとして、（メタ）アクリル酸エステルモノマー及び（メタ）アクリルアミド誘導体が挙げられる。また、多官能モノマーとして、エチレングリコールジ（メタ）アクリレート、ジエチレングリコールジ（メタ）アクリレート、トリエチレングリコールジ（メタ）アクリレート、ポリエチレングリコールジ（メタ）アクリレート、トリプロピレングリコールジ（メタ）アクリレート等が挙げられる。
そして、上記光重合開始剤としては、１−ヒドロキシシクロヘキシルフェニルケトン、２−ヒドロキシ−２−メチル−１−フェニルプロパン−１−オン、２，２−ジメトキシ−１，２−ジフェニルエタン−１−オン、２，４，６−トリメチルベンゾイルジフェニルホスフィンオキサイド、ビス（２，４，６−トリメチルベンゾイル）フェニルホスフィンオキサイド等が挙げられる。
【００３９】
光偏向部２４と光透過部２３との界面において光を拡散反射させ易くするという観点からは、光透過部２３と光偏向部２４との界面をマット面としてもよい。
【００４０】
このように光偏向部２４は隣り合う光透過部２３の間の凹部に形成されるので、その形状も凹部に沿ったものとなる。従って本形態では光偏向部２４は基材層２１側に短い上底、観察者側に長い下底を有する略台形断面を有し、その間に辺を有している。この辺は光透過部２３との界面を構成し、共通の辺となる。
【００４１】
以上のような光制御層２２において、光透過部２３と光偏向部２４との界面がシート面法線と成す角度θ１は、−２０度以上２０度以下であることが好ましい。より好ましくはθ１が０度以上１０度以下である。θ１が２０度より大きくなると、又はθ１が−２０度より小さくなると、光の透過率が低過ぎる不具合が生じる虞がある。ここでθ１が負であるとは、光偏向部２４の台形断面の短い上底が観察者側、長い下底が有機ＥＬ積層体を向くことを意味する。
【００４２】
光透過部２３、及び光偏向部２４が並列されるピッチは特に限定されることはないが、１０μｍ以上２００μｍ以下であることが好ましく、３０μｍ以上１００μｍ以下であることがさらに好ましい。光偏向部２４のピッチが１０μｍより小さいと、回折現象により、透過した像が虹状になる不具合が生じる虞がある。また、光偏向部２４のピッチが広すぎると、光偏向部２４を形成することが困難になる虞がある。
【００４３】
図３にＤで示した光偏向部２４の厚さは特に限定されないが、２０μｍ以上３００μｍ以下であることが好ましい。更に好ましくは３０μｍ以上１５０μｍ以下である。光偏向部２４が薄過ぎると所望の効果を得難くなったり、微細な加工を施すことが難しくなったりする虞がある。また、光偏向部２４が厚過ぎると製造の際に、金型から離型し難くなるなど、加工性に問題を生じる虞がある。
【００４４】
また、図３にθ２で示したように、当該断面における光透過部２３の対角線がシート面法線と成す角を見込み角θ２としたとき、この見込み角θ２は、有機ＥＬ積層体１０と光学シート２０とが接する界面（本形態では陽極層１６と基材層２１との界面）における全反射臨界角以下であることが好ましい。これによりシート面法線に対して大きな角度で光透過部に入射した光も全て偏向部２４に達し、ここで散乱して出射できる、観察者に提供される光の量を多くすることができる。
より好ましくは、有機ＥＬ積層体１０のうち、有機ＥＬ積層体１０の出光面を構成する層であり、光学シート２０が積層される層（本形態では陽極層１６）の屈折率をｎとしたとき、
θ２≦ｓｉｎ−１（１／ｎ）
である。
【００４５】
さらに、光透過部２３と光偏向部２４とに屈折率差を設けてもよい。光透過部２３を光偏向部２４よりも高い屈折率とすることにより、光透過部２３と光偏向部２４との界面において一部の光を全反射することができ、これによっても光の向きを変えて観察者に提供することが可能な光となる。
屈折率差を設ける場合において、屈折率Ｎｒの値は特に限定されることはないが、当該全反射を適切に行う観点から１．５０以下であることが好ましく、その中でも入手性の観点から１．４７以上が好ましい。より好ましく１．４９以上である。そしてその際の光透過部２３の屈折率Ｎｔと光吸収部２４の屈折率Ｎｒとの屈折率の差は特に限定されるものではないが、０．０５以上０．１４以下であることが好ましい。屈折率差を大きくすることにより、より多くの光を全反射させることができる。
【００４６】
本形態では光透過部２３と光偏向部２４との界面が断面において一直線状となる例を示したが、これに限らず折れ線状、凸である曲面状、凹である曲面状等であってもよい。また、複数の光透過部２３及び光偏向部２４で断面形状が同じであってもよいし、所定の規則性を有して異なる断面形状であってもよい。
これらの形態によれば、光の散乱、全反射、屈折を必要に応じてより所望の態様に制御することが可能となる。
【００４７】
以上のような光学シート２０は例えば次のように作製することができる。
まず、光制御層２２の光透過部２３を金型ロールを用いる方法により形成する。すなわち、円筒状であるロールの外周面に光透過部２３の形状を転写可能な凹凸が設けられた金型ロールを準備する。そして金型ロールとこれに対向するように配置されたニップロールとの間に、基材層２１となる基材を挿入する。そして、基材の一方の面と金型ロールとの間に光透過部２３を構成する硬化前の組成物を供給しながら金型ロール及びニップロールを回転させる。これにより金型ロールの表面に形成された凹凸の凹部内に光透過部２３を構成する組成物が充填され、該組成物が金型ロールの凹凸の表面形状に沿ったものとなる。
【００４８】
金型ロールと基材との間に挟まれ、ここに充填された光透過部２３を構成する硬化前の組成物に対し、基材側から光照射装置により光を照射する等の適切な硬化方法により硬化させる。これにより、光透過部２３の形状を固定させることができる。そして、離型ロールにより金型ロールから基材層２１及び成形された光透過部２３を離型する。
【００４９】
次に、隣り合う光透過部２３の間に形成された凹部に、光偏向部２４を構成する硬化前の組成物を充填して硬化させることによって、光偏向部２４を形成することができる。具体的には、隣り合う光透過部２３の間の凹部に光偏向部２４を構成する硬化前の組成物を過剰に供給し、その余剰分をブレードにより掻き取ることによりその量を調整するとともに凹部に組成物を充填する。そして凹部内に充填された組成物を適切な方法で硬化させる。
このようにして、基材層２１上に凹凸のない、又は凹凸があってもその程度が小さい光制御層２２を形成することができ、光学シート２０となる。
【００５０】
図１〜図３に戻って円偏光板３０について説明する。円偏光板３０は公知の通りであるが、偏光部材と位相差部材とを積層した部材である。一度円偏光板を透過した光の反射光は偏光されており、円偏光板の偏光部材により吸収されて透過することができないので、外光を観察者側に出射することがなく、外光の影響を低減することができる。
【００５１】
以上のように構成された照明装置１は、有機ＥＬ積層体１０、光学シート２０、及び円偏光板３０を不図示の筐体に内包し、円偏光板３０側が観察者側となるように配置することで、有機ＥＬによる照明装置とすることができる。その際には必要に応じて照明装置１を作動させるための電気回路、電源回路等も備えられる。ここで、光学シート２０に円偏光板３０を積層しても光学シート２０の光制御層２２には上記のように凹凸がない、又は凹凸が小さくされているので空気界面を形成することなく、２重像の発生を防止することができる。
【００５２】
このような照明装置１を備える表示装置は例えば次のように作動する。ここでは、有機ＥＬ積層体１０により白色光が出射される例で説明する。ただし必ずしも白色光である場合に限らず、映像情報を含んだ光であってもよい。図３に光路例を示した。ただし当該光路例は概念的なものであり、散乱、反射、及び屈折を厳密に表したものではない。
【００５３】
表示装置を作動させると、有機ＥＬ積層体１０からは光が出射される。有機ＥＬ積層体１０から出射した光は基材層２１を透過して光制御層２２に入射する。このとき、有機ＥＬ積層体１０の出光側に光学シート２０が積層されていることで、この界面における屈折率差が空気界面の場合よりも小さくなり、全反射することなく光学シート２０に入射する光を多くすることができる。すなわち、シート面法線に対して大きな角度で界面に入射する光も有機ＥＬ積層体１０と光学シート２０との界面を透過することができ、より多くの光を観察者側に提供することが可能である。
【００５４】
光制御層２２に入射した光の光路例を光Ｌ１〜Ｌ４として図３に示した。
光Ｌ１、Ｌ２は、光制御層２２の厚さ方向に略平行に光制御層２２に入射する。そして光Ｌ１は光透過部２３を透過し、光Ｌ２は光偏向部２４に入射する。光偏向部２４に入射した光は散乱してその視野角が広げられて観察者側に出射される。
一方、映像光Ｌ３は、厚さ方向に対して斜めから光制御層２２に入り、光偏向部２４に達する。これにより光は散乱し、観察者が観察することができる角度の光を含むようになって観察者側に出射される。従って観察者が観察できないような大きな角度を有して光学シート２０に入射した光が観察者が観察できる光となって提供され、観察者に提供できる光の量を高めることが可能となる。
【００５５】
光透過部２３の屈折率を光偏向部２４の屈折率よりも大きくした場合には次のような全反射も可能となる。すなわち、光Ｌ４は、厚さ方向に対して斜めから光偏向部２４に入り、全反射臨界角以上の角度で光透過部２３と光偏向部２４との界面に達する。これにより光は全反射し入射方向とは異なる方向に進行する。このような光も観察者に提供できる光の量を高める作用を有することがある。
【００５６】
ここで説明した光学シート２０では、基材層２１が有機ＥＬ積層体１０側でその観察者側に光制御層２２が積層された例であるが、これに限らず、有機ＥＬ積層体側１０側に光制御層２２が配置されその観察者側に基材層２１が配置された形態であってもよい。
【００５７】
図４には第二の形態を説明する図を示した。第二の形態では、光学シート２０の代わりに光学シート１２０を用いている点で第一の形態と異なる。他の構成については第一の形態と同様である。
図４（ａ）は光学シート１２０の斜視図、図４（ｂ）は図４（ａ）にＩＶｂ−ＩＶｂで示した線に沿った光学シート１２０の厚さ方向断面図、図４（ｃ）は図４（ａ）にＩＶｃ−ＩＶｃで示した線に沿った光学シート１２０の厚さ方向断面図である。
【００５８】
光学シート１２０では、光制御層２２にさらに他の光制御層１２２が積層されている点で光学シート２０と異なる。すなわち光制御層２２のうち、基材層２１が配置された側とは反対側の面に他の光制御層１２２が積層されている。基材層２１及び光制御層２２については上記の通りである。
【００５９】
他の光制御層１２２は図４（ｃ）に表れる厚さ方向断面において略台形である光透過部１２３と、隣り合う光透過部１２３の間に配置される光偏向部１２４と、を備えている。光透過部１２３は上記光透過部２３と同様であり、光偏向部１２４は光偏向部２４と同様である。
ただし、図４（ａ）からわかるように、光透過部１２３及び光偏向部１２４が延びる方向と、光透過部２３及び光偏向部２４が延びる方向と、が光学シート１２０の正面視で９０°異なるように配置される。これにより、さらに観察者に提供できる光の量を増やすことができる。
【００６０】
図５には第三の形態を説明するための図を示した。第三の形態では、光学シート２０の代わりに光学シート２２０を用いた点で第一の形態と異なる。他の構成については第一の形態と同様であり、ここでは光学シート２２０について説明する。
光学シート２２０は、基材層２１及び光制御層２２２を有して構成されている。基材層２１は光学シート２０で説明した基材層２１と同じである。
【００６１】
光制御層２２２では、隣り合う光透過部２３の間に配置される光偏向部２２４が、光透過部２３との界面に光反射層２２４ａを有している。そして光偏向部２２４のうち光反射層２２４ａで挟まれる間は透明である透明部２２４ｂが形成されている。
【００６２】
光反射層２２４ａは、金属面や他の材料面による反射を利用して光を反射させるための層で、光偏向部２２４のうち光透過部２３との界面に形成されている。光反射層２２４ａは、例えばアルミニウム、銅、銀等の蒸着膜等により形成することができる。
透明部２２４ｂは、透明樹脂が充填されるように形成すればよい。
【００６３】
このような光制御層２２２によれば、例えば図５にＬ１０で示した光は光透過部２３と光偏向部２２４との界面に達することなく光透過部２３を透過する。又は、図５にＬ１１で示した光は光透過部２３と光偏向部２２４との界面に達しても光反射層２２４ａで反射することができ、反射して光透過部２３を透過する。この形態でも光を制御して観察者側に出射して観察者に提供できる光の量を増やすことができる。
【実施例】
【００６４】
この実施例では、光学シート２０の例に倣って光学シートを作製し、光学シートを積層しない比較例の光学シートを作製して評価を行った。詳しくは次の通りである。
【００６５】
（実施例１）
＜基材層＞
・材料、厚さ：ポリカーボネート樹脂、厚さ１３０μｍ
＜光制御層＞
・ピッチ：３９μｍ（図３のＰｋ）
・光偏向部上底幅：４μｍ（図３のＷａ）
・光偏向部下底幅：１０μｍ（図３のＷｂ）
・光偏向部の厚さ：３６μｍ（図３参照のＤ）
・光制御層の厚さ：６１μｍ
・光透過部の材料及び屈折率：紫外線硬化型ウレタンアクリレート、屈折率１．５６
・光偏向部の材料及び屈折率：屈折率１．４９の紫外線硬化型ウレタンアクリレートにアクリルビーズ（アイカ工業株式会社、ガンツパール（登録商標））を２５質量％分散
・光透過部と光偏向部との界面の傾斜角：４．８°（図３のθ１）
・見込み角：４１．９°（図３のθ２）
【００６６】
（実施例２）
光制御層において、次の点を実施例１から変更した。
・光偏向部の厚さ：１０２μｍ（図３参照のＤ）
・光制御層の厚さ：１２７μｍ
・光透過部と光偏向部との界面の傾斜角：１．７°（図３のθ１）
・見込み角：１７．４°（図３のθ２）
【００６７】
（実施例３）
光制御層において、次の点を実施例１から変更した。
・光偏向部の材料及び屈折率：アルミニウムフレーク５％含有の紫外線硬化型ウレタンアクリレート
【００６８】
（実施例４）
光制御層において、次の点を実施例２から変更した。
・光偏向部の材料及び屈折率：アルミニウムフレーク５％含有の紫外線硬化型ウレタンアクリレート
【００６９】
以上の各例にかかる光学シートを有機ＥＬ積層体（株式会社東芝、ＲＥＧＺＡ  ＴＡＢＬＥＴ（登録商標）、ＡＴ５７０）の出光側に積層した。
比較例として当該有機ＥＬ積層体をそのまま評価した。
【００７０】
各例について有機ＥＬ積層体を点灯し、画面の正面及び正面に対して斜めに移動しながら（視野角を変更しながら）、画面の明るさについて目視で評価した。その結果、実施例１〜実施例４では、比較例に比べて視野角を変更したいずれの位置においても、明るい光を観察することができた。
【符号の説明】
【００７１】
１  照明装置
１０  有機ＥＬ積層体
１１  基板
１２  陰極層
１３  電子輸送層
１４  発光層
１５  正孔輸送層
１６  陽極層
２０、１２０、２２０  光学シート
２１  基材層
２２  光制御層
２３  光透過部
２４  光偏向部
３０  円偏光板
１２２  光制御層（他の光制御層）
１２４  光偏向部
２２２  光制御層
２２４  光偏向部
２２４ａ  光反射層
２２４ｂ  透明部
【図１】
2018005113.tif 000003
【図２】
2018005113.tif 000004
【図３】
2018005113.tif 000005
【図４】
2018005113.tif 000006
【図５】
2018005113.tif 000007